【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
デジタイザセンサにより、スタイラスによって発信されたスタイラス信号を検出するステップと；
前記スタイラス信号を検出したことに基づいて、前記スタイラスの座標を決定するステップと；
前記スタイラス信号に基づいて前記スタイラスがホバー動作モードを識別していると判断するステップと；
決定された前記座標の周囲の定義されたエリア内における相互容量性検出に基づいて、前記デジタイザセンサ上の前記スタイラスの先端の容量効果を探すステップと；
前記容量効果を識別したことに基づいて、前記スタイラスのタッチ動作モードを報告するステップと；
前記スタイラス信号が前記ホバー動作モードを示していると判断したことに基づき、及び前記定義されたエリア内において前記先端の容量効果が検出不可能であると特定したことに基づいて、前記スタイラスの前記ホバー動作モードを報告するステップと；
を備える、方法。
【請求項２】
前記スタイラスは、前記スタイラス内に埋め込まれたセンサからの出力に基づいて前記ホバー動作モードを識別するように構成される、
請求項１に記載の方法。
【請求項３】
前記容量効果に基づいて、前記スタイラスの先端における０〜１５ｇｍの力により前記タッチ動作モードを検出するステップを含む、
請求項１又は２に記載の方法。
【請求項４】
前記スタイラスによって発信される第２スタイラス信号を検出するステップであって、前記第２スタイラス信号は、前記スタイラスに埋め込まれた圧力センサからの圧力情報を含むステップと；
前記圧力情報に基づいて、前記スタイラスのタッチ動作モードを識別するステップと；
前記タッチ動作モードを識別したことに基づいて、決定された前記座標における前記スタイラスのタッチ動作モードを報告するステップと；
を含む、請求項１乃至３のいずれか一項に記載の方法。
【請求項５】
前記圧力情報が前記タッチ動作モードを示すことに基づいて、前記先端の前記相互容量性検出を無効にするステップ、
を含む、請求項４に記載の方法。
【請求項６】
前記第２スタイラス信号は、前記デジタイザセンサ又はホストコンピューティングデバイスに関連付けられる無線通信モジュールによって検出される、
請求項４又は５に記載の方法。
【請求項７】
ホストコンピューティングデバイス上で動作するアプリケーションが、前記先端の相互容量性検出に基づいて前記タッチ動作モードを識別することを選択的に可能にする、
請求項１乃至６のいずれか一項に記載の方法。
【請求項８】
少なくとも前記定義されたエリア内でヒートマップを検出するステップであって、ここで、前記ヒートマップは、少なくとも前記定義されたエリア内に含まれる各接合点で出力をマップするステップと；
最尤コスト基準を適用して、前記定義されたエリア内で前記容量効果を検出することができる確率を決定するステップであって、ここで、前記最尤コスト基準は、前記デジタイザセンサの接合点からの出力を該接合点からの前記先端の位置に関連させる所定の応答関数に基づく、ステップと；
前記確率が所定の閾値を超えることに基づいて、前記容量効果を検出するステップであって、ここで、前記先端の前記容量効果を検出することは、前記定義されたエリア内でのみ行われる、ステップと；
を備える、請求項１乃至７のいずれか一項に記載の方法。
【請求項９】
前記スタイラスの前記タッチ動作モードを報告することに基づいてインキングするステップを含む、
請求項１乃至８のいずれか一項に記載の方法。
【請求項１０】
ディスプレイと；
感知面に関連付けられるデジタイザセンサと；
前記デジタイザセンサに関連付けられる回路であって、
前記デジタイザセンサにより、スタイラスによって発信されたスタイラス信号を検出し、
前記スタイラス信号を検出することに基づいて、前記スタイラスの座標を決定し、
前記スタイラス信号に基づいて、前記スタイラスがホバー動作モードを識別していると判断し、
決定された前記座標の周囲の定義されたエリア内における相互容量性検出に基づいて、前記デジタイザセンサ上の前記スタイラスの先端の容量効果を探し、
前記容量効果を識別したことに基づいて前記スタイラスのタッチ動作モードを報告し、
前記スタイラス信号が前記ホバー動作モードを示していると判断したことに基づき、及び前記定義されたエリア内において前記先端の容量効果が検出不可能であると特定したことに基づいて、前記スタイラスの前記ホバー動作モードを報告する、
ように構成される回路と；
前記タッチ動作モードの報告に基づいて、前記ディスプレイ上にインクを表示するように構成されるコントローラと；
を備える、デバイス。
【請求項１１】
前記ホバー動作モードを識別することは、前記スタイラスに埋め込まれたセンサからの出力に基づいて識別される、
請求項１０に記載のデバイス。
【請求項１２】
前記回路は、
前記スタイラスによって発信される第２スタイラス信号を検出し、ここで、前記第２スタイラス信号は、前記スタイラスに埋め込まれた圧力センサからの圧力情報を含み、
前記圧力情報に基づいて、前記スタイラスのタッチ動作モードを識別し、
前記タッチ動作モードを識別したことに基づいて、決定された前記座標における前記スタイラスのタッチ動作モードを報告する、
ように構成される、請求項１０又は１１に記載のデバイス。
【請求項１３】
前記回路は、前記圧力情報が前記タッチ動作モードを示すことに基づいて、前記先端の前記相互容量性検出を無効にするように構成される、
請求項１２に記載のデバイス。
【請求項１４】
前記回路は、
少なくとも前記定義されたエリア内でヒートマップを検出することであって、ここで、前記ヒートマップは、少なくとも前記定義されたエリア内に含まれる各接合点で出力をマップし、
最尤コスト基準を適用して、前記定義されたエリア内で前記容量効果を検出することができる確率を決定することであって、ここで、前記最尤コスト基準は、前記デジタイザセンサの接合点からの出力を該接合点からの前記先端の位置に関連させる所定の応答関数に基づき、
前記確率が所定の閾値を超えることに基づいて前記容量効果を検出する、
ように構成され、前記回路は、前記確率が前記所定の閾値未満であることに基づいて、決定された前記座標における前記スタイラスのホバー動作モードを報告するように構成される、
請求項１０乃至１３のいずれか一項に記載のデバイス。
【請求項１５】
デジタイザセンサにより、スタイラスによって発信されたスタイラス信号を検出するステップと；
前記スタイラス信号を検出することに基づいて前記スタイラスの座標を決定するステップと；
前記スタイラス信号に基づいて、前記スタイラスがタッチ動作モードとホバー動作モードのうちの一方を識別していると判断するステップと；
決定された前記座標の周囲の定義されたエリア内における相互容量性検出に基づいて、前記デジタイザセンサ上の前記スタイラスの先端の容量効果を探すステップと；
前記容量効果を識別したことに基づいて、前記スタイラスがタッチ動作モードであると判断するステップと、
前記スタイラス信号が前記ホバー動作モードを示していると判断したことに基づき、及び前記定義されたエリア内において前記先端の容量効果が検出不可能であると特定したことに基づいて、前記スタイラスが前記ホバー動作モードであると判断するステップと、
前記タッチ動作モードと前記ホバー動作モードのうちの一方を報告するステップと；
を備える、方法。